(57)【要約】【課題】  従来の炭酸飲料容器用加圧キャップでは、炭酸飲料容器用加圧キャップを製造する手間が大きく、使用勝手が悪いという問題もあった。【解決手段】  本発明は、炭酸飲料容器７側面に接触する容器接触部３と、容器接触部３を炭酸飲料容器７の内部方向に押圧させる把持部５と、把持部５により容器接触部３を炭酸飲料容器７の内部方向に押圧させた後に、その状態を保持させる押圧保持部４を、有し、容器接触部３が炭酸飲料容器７の内部方向に押圧されることにより、炭酸飲料容器７内の気体が加圧されるものである。【選択図】  図２
2013237490.tif 000002
【特許請求の範囲】
【請求項１】
炭酸飲料容器を開封した後に炭酸飲料容器に収容している飲料から炭酸ガスが抜けにくくする炭酸抜け防止器具であって、
炭酸飲料容器側面に接触する容器接触部と、
該容器接触部を炭酸飲料容器の内部方向に押圧させる把持部と、
該把持部により前記容器接触部を炭酸飲料容器の内部方向に押圧させた後に、その状態を保持させる押圧保持部を、有し、
前記容器接触部が炭酸飲料容器の内部方向に押圧されることにより、炭酸飲料容器内の気体が加圧されることを特徴とする炭酸抜け防止器具。
【請求項２】
前記容器接触部は、略Ｕ字形状からなるＵ字形状部材の内側に備えられ、少なくとも２点で炭酸飲料容器の側面に接触し、
前記把持部は、前記Ｕ字形状部材の略両端部に備えられ、
前記押圧保持部は、前記Ｕ字形状部材の略両端部の前記把持部を近づけた状態を保持する請求項１記載の炭酸抜け防止器具。  
【請求項３】
前記容器接触部は、中空で略円形形状からなる円形形状部材の内側に備えられ、少なくとも２点で炭酸飲料容器の側面に接触し、
前記把持部は、前記円形形状部材に備えられ、
炭酸飲料容器を前記円形形状部材の中空内部に囲い込んで、前記容器接触部が炭酸飲料容器の内部方向に押圧されることにより、炭酸飲料容器内の気体が加圧されることを特徴とする請求項１記載の炭酸抜け防止器具。
【発明の詳細な説明】
【技術分野】
【０００１】
本発明は、炭酸飲料容器に収容された飲料から炭酸ガスが抜けにくくする炭酸抜け防止器具に関する。詳しくは、炭酸飲料容器を開封した後に炭酸飲料容器に収容している飲料から炭酸ガスが抜けにくくする炭酸抜け防止器具に関するものである。
【背景技術】
【０００２】
従来から、炭酸飲料容器内に収容された炭酸飲料から炭酸ガスが抜けにくくする炭酸飲料容器用加圧キャップが知られていた。この炭酸飲料容器用加圧キャップは、炭酸飲料容器のキャップにあらかじめ孔を開孔し、その開孔された孔にゴムなどの伸縮性素材からなる空気注入口をはめ込んだものである。そして、空気ポンプを用いることにより炭酸飲料容器用加圧キャップの空気注入口から炭酸飲料容器内に空気を送り込み、炭酸飲料容器内の気体を加圧させることにより、炭酸飲料から炭酸ガスが炭酸飲料容器内に抜け出すことを抑制することができるというものであった
(例えば、特許文献１)。
【先行技術文献】
【特許文献】
【０００３】
【特許文献１】特開２０１０−１１６２０３号公報
【発明の概要】
【発明が解決しようとする課題】
【０００４】
しかしながら、従来の炭酸飲料容器用加圧キャップでは、使用者が炭酸飲料容器のキャップに孔を開孔しなければならず、炭酸飲料容器用加圧キャップを製造する手間が大きいという問題があった。また、炭酸飲料容器用加圧キャップを使用する際においても、空気ポンプを用いて炭酸飲料容器内に空気を送り込まなければならず、使用勝手が悪いという問題もあった。
【０００５】
本発明は、上記問題点に鑑みてなされたもので、安価に製造できるとともに、使い勝手のよい炭酸抜け防止器具を提供することを目的とする。
【課題を解決するための手段】
【０００６】
上記課題を解決し上記目的を達成するために、本発明のうち一態様に係るものは、炭酸飲料容器を開封した後に炭酸飲料容器に収容している飲料から炭酸ガスが抜けにくくする炭酸抜け防止器具であって、炭酸飲料容器側面に接触する容器接触部と、該容器接触部を炭酸飲料容器の内部方向に押圧させる把持部と、該把持部により容器接触部を炭酸飲料容器の内部方向に押圧させた後に、その状態を保持させる押圧保持部を、有し、容器接触部が炭酸飲料容器の内部方向に押圧されることにより、炭酸飲料容器内の気体が加圧されることを特徴とするものである。
【０００７】
本発明によれば、炭酸飲料容器側面に接触する容器接触部と、その容器接触部を炭酸飲料容器の内部方向に押圧させる把持部と、その把持部により容器接触部を炭酸飲料容器の内部方向に押圧させた後に、その状態を保持させる押圧保持部とを有するといった単純な構成であるので、炭酸抜け防止器具を安価に製造することができる。また、把持部により容器接触部が炭酸飲料容器の内部方向に押圧され、炭酸飲料容器内の気体が加圧されるので、手間を掛けず簡単な方法で炭酸飲料容器内の気体を加圧させることができ、炭酸飲料から炭酸ガスが炭酸飲料容器内に抜け出すことを抑制することができる。  
【０００８】
本発明のうち第２の態様に係るものは、第１の態様に係る炭酸抜け防止器具であって、容器接触部は、略Ｕ字形状からなるＵ字形状部材の内側に備えられ、少なくとも２点で炭酸飲料容器の側面に接触し、把持部は、Ｕ字形状部材の略両端部に備えられ、押圧保持部は、Ｕ字形状部材の略両端部の把持部を近づけた状態を保持するものである。  
【０００９】
本発明によれば、容器接触部は略Ｕ字形状からなるＵ字形状部材の内側に備えられ、また把持部をＵ字形状部材の略両端部に備えられているといった単純な構成であるので、炭酸抜け防止器具を安価に製造することができる。また、Ｕ字形状部材の略両端部の把持部を近づけた状態を保持することにより、炭酸飲料容器内の気体が加圧されるので、手間を掛けず簡単な方法で炭酸飲料容器内の気体を加圧させることができ、炭酸飲料から炭酸ガスが炭酸飲料容器内に抜け出すことを抑制することができる。  
【００１０】
本発明のうち第３の態様に係るものは、第１の態様に係る炭酸抜け防止器具であって、容器接触部は、中空で略円形形状からなる円形形状部材の内側に備えられ、少なくとも２点で炭酸飲料容器の側面に接触し、把持部は円形形状部材に備えられ、炭酸飲料容器を円形形状部材の中空内部に囲い込んで、容器接触部が炭酸飲料容器の内部方向に押圧されることにより、炭酸飲料容器内の気体が加圧されることを特徴とするものである。
【００１１】
本発明によれば、容器接触部は中空で略円形形状からなる円形形状部材の内側に備えられ、また把持部は円形形状部材に備えられているといった単純な構成であるので、炭酸抜け防止器具を安価に製造することができる。また、炭酸飲料容器を円形形状部材の中空内部に囲い込んで、容器接触部が炭酸飲料容器の内部方向に押圧されることにより、炭酸飲料容器内の気体が加圧されるので、手間を掛けず簡単な方法で炭酸飲料容器内の気体を加圧させることができ、炭酸飲料から炭酸ガスが炭酸飲料容器内に抜け出すことを抑制することができる。
【発明の効果】
【００１２】
本発明によれば、安価に製造できるとともに、手間が掛からず使い勝手のいい炭酸抜け防止器具を提供することができる。
【図面の簡単な説明】
【００１３】
【図１】（ａ）本発明の第１の実施形態における炭酸抜け防止器具を示す斜視図である。            （ｂ）同炭酸抜け防止器具の側面図である。
【図２】同炭酸抜け防止器具の作業手順を示す図である。
【図３】（ａ）本発明の第２の実施形態における炭酸抜け防止器具を示す斜視図である。            （ｂ）同炭酸抜け防止器具の側面図である。
【図４】（ａ）同炭酸抜け防止器具の把持部が開いた状態の表面図である。            （ｂ）同炭酸抜け防止器具の把持部が開いた状態の裏面図である。
【図５】同炭酸抜け防止器具の押圧保持部の説明図である。
【図６】同炭酸抜け防止器具の作業手順を示す図である。
【発明を実施するための形態】
【００１４】
（第一実施形態）
以下、本発明の炭酸抜け防止器具の一実施形態について図面を参照しながら説明する。  図１（ａ）は本発明の第１の実施形態における炭酸抜け防止器具を示す斜視図であり、図１（ｂ）は同炭酸抜け防止器具の側面図である。
【００１５】
図１（ａ）に示すように、炭酸抜け防止器具１は、プラスチック製で略Ｕ字形状をしたＵ字形状部材２を有している。このＵ字形状部材２には、その内側にゴム製の容器接触部３が取り付けられ、また、Ｕ字形状部材２の略両端部には面ファスナーからなる押圧保持部４が設けられている。この押圧保持部４は、Ｕ字形状部材２の略両端部に設けられた面ファスナーと、それらの面ファスナーを外周から跨ぐようにして覆う面ファスナーから構成されている。ここで、このＵ字形状部材２の略両端部に設けられた面ファスナーを外周から跨ぐようにして覆う面ファスナーは取り外し可能となっている。把持部５はＵ字形状部材２の略両端部に構成され、Ｕ字形状部材２の中間位置にはヒンジ６が備えられる。なお、把持部５は、Ｕ字形状部材２の略両端部に構成されるが、Ｕ字形状部材２の略両端部に把持部材として設けてもよい。すなわち、把持部５は、Ｕ字形状部材５と一体に構成（Ｕ字形状部材５と同一構成も含む）されたものでもよく、また別体に構成されたものでもよい。ここで、Ｕ字形状部材２の略両端部とは、Ｕ字形状部材２の先端部とＵ字形状部材２に設けられた容器接触部３の間のことをいう。また、容器接触部３についても、Ｕ字形状部材５と一体に構成（Ｕ字形状部材５と同一構成も含む）されたものでもよく、また別体に構成されたものでもよい。また、本実施形態のＵ字形状部材２には、Ｕ字形状と近似した形状であるＶ字形状（略Ｕ字形状）などの形状も含まれる。また、本実施形態では、Ｕ字形状部材２をプラスチック製とし、また容器接触部３をゴム製としたが、これに限らず、他の材料からなるものであってもよい。また、本実施形態では、容器接触部３はペットボトル７に２点で接触させている形態を示したが、これに限らず、ペットボトル７に２点以上で接触するものであればよい。
【００１６】
次に、本実施形態における炭酸抜け防止器具の動作について説明する。図２は本発明の第１の実施形態における炭酸抜け防止器具の作業手順を示す図である。
【００１７】
まず、Ｕ字形状部材２の内側にペットボトル７（炭酸飲料容器）を挟み込む（図２（ａ）参照（ペットボトル挟込工程））。ペットボトル７の挟み方としては、たとえば、ペットボトル７の上部からＵ字形状部材２の内側にペットボトル７を挿入してもよく、また、Ｕ字形状部材２の両端部を広げて、その間からＵ字形状部材２の内側にペットボトル７を挿入するようにしてもよい。本実施形態では、Ｕ字形状部材２の内側にペットボトル７が挟み込まれた状態において、ペットボトル７の側面に容器接触部３が接触しているようにしているが、ペットボトル７の側面に容器接触部３が接触していない状態であってもよい。
【００１８】
次に、把持部５を用いて容器接触部３をペットボトル７の内部方向に押圧させる（図２（ｂ）参照（ペットボトル内加圧工程））。具体的には、使用者は、２つの把持部５を近づかせる方向に把持することにより、容器接触部３をペットボトル７の内部方向に押圧させる。このように、容器接触部３をペットボトル７の内部方向に押圧させることによりペットボトル７の内部の容積が少なくなるので、ペットボトル７内の気体が加圧される。
【００１９】
次に、把持部５を用いて容器接触部３をペットボトル７の内部方向に押圧させた後に、その状態を保持するために、Ｕ字形状部材２の端部に設けられた面ファスナーからなる押圧保持部４を他のＵ字形状部材２の端部に巻き付けながら固定する（図２（ｃ）参照（ペットボトル内加圧保持工程））。これにより、一方の把持部５と他方の把持部５の距離が縮まった状態を保持することができ、ペットボトル７の側面が容器接触部３により強く押圧された状態を保持することができる。このように、容器接触部３がペットボトル７を内部方向に押圧した状態を保持することにより、ペットボトル７内の気体が加圧された状態を保持することができる。
【００２０】
以上説明したように、炭酸抜け防止器具１を、ペットボトル７側面に接触する容器接触部３と、その容器接触部３をペットボトル７の内部方向に押圧させる把持部５と、その把持部５によりペットボトル７をペットボトル７の内部方向に押圧させた後に、その状態を保持させる押圧保持部４から構成させることにより、炭酸抜け防止器具１を単純な構成で安価に製造することができる。すなわち、容器接触部３をペットボトル７の少なくとも２点で接触させ、また把持部５をＵ字形状部材２の略両端部に設けたという単純な構成であるので、炭酸抜け防止器具１を安価に製造することができる。また、Ｕ字形状部材２の略両端部の把持部５を近づけることによりペットボトル７内の気体が加圧されるので、手間を掛けず簡単な方法でペットボトル７内の気体を加圧させることができ、炭酸飲料から炭酸ガスがペットボトル７内に抜け出すことを抑制することができる。
【００２１】
次に、本発明の第２の実施形態における炭酸抜け防止器具について図３を参照しながら説明する。図３（ａ）は本発明の第２の実施形態における炭酸抜け防止器具を示す斜視図であり、図３（ｂ）は同炭酸抜け防止器具の側面図である。
【００２２】
図３（ａ）に示すように、炭酸抜け防止器具１１は、プラスチック製で一方が開口可能な略円形形状からなる円形形状部材１２を有している。この円形形状部材１２には、その内側にゴム製の容器接触部１３が取り付けられ、また円形形状部材１２の略両端部には後述する押圧保持部１４、把持部１５が構成され、円形形状部材１２の中間位置にはヒンジ２３が備えられる。なお、本実施形態の円形形状部材１２には、円形と近似した楕円形である楕円形形状（略円形形状）などの部材も含まれる。また、本実施形態では、円形形状部材１２をプラスチック製とし、また容器接触部１３をゴム製としたが、これに限らず、他の材料からなるものであってもよい。
【００２３】
次に、炭酸抜け防止器具１１の把持部１５について詳細に説明する。図４（ａ）は本発明の第２の実施形態における炭酸抜け防止器具の把持部が開いた状態の表面図であり、図４（ｂ）は本発明の第２の実施形態における炭酸抜け防止器具の把持部が開いた状態の裏面図である。
【００２４】
把持部１５は、円形形状部材１２の表面および裏面の略両端部上部にそれぞれ設けられ、円形形状部材１２の曲率とほぼ同様の曲率をした略くの字形状をしている。この把持部１５と円形形状部材１２とは、連結ピン１６で連結され、把持部１５は連結ピン１６を中心として回転することができる。すなわち、円形形状部材１２を使用しない場合は、把持部１５が円形形状部材１２の上部に収納され（図３（ｂ）参照）、円形形状部材１２を使用する場合には、把持部１５が円形形状部材１２から外側に回転し、把持位置（図４（ａ）、図４（ｂ）参照）で使用者は把持部１５を把持することができる。ここで、円形形状部材１２の表面には、把持部１５が円形形状部材１２から外側に回転し、把持位置以上に回転しないように回転規制凸部１７が設けられている（図４（ａ）参照）。この回転規制凸部１７が設けられているので、使用者は把持部１５を把持位置（図４（ａ）参照）で把持することができる。また、円形形状部材１２の裏面には、押圧保持部１４（凹凸部挿入部１９）により把持部１５の回転が規制されるので回転規制凸部１７は設けられていない（図４（ｂ）参照）。なお、本実施形態では、把持部１５を円形形状部材１２の略両端部上部に設けたが、これに限らず、把持部１５を設けず、円形形状部材１２を把持部として用いてもよい。すなわち、把持部１５は、円形形状部材１２と別体に構成されたものでもよく、また一体に構成（円形形状部材１２と同一構成も含む）されたものでもよい。ここで、円形形状部材１２の略両端部とは、円形形状部材１２の先端部（ヒンジ２３側と逆方向先端の部分）と円形形状部材１２に設けられた容器接触部１３の間のことをいう。
【００２５】
次に、炭酸抜け防止器具１１の押圧保持部１４について詳細に説明する。図５は本発明の第２の実施形態における炭酸抜け防止器具の押圧保持部の説明図である。
【００２６】
押圧保持部１４は、円形形状部材１２の一端先端の外側側面にギザギザ形状からなる凹凸部１８と、円形形状部材１２の他端先端に設けられた凹凸部挿入部１９と、円形形状部材１２の一端先端の形成された凹凸部１８が円形形状部材１２の他端先端の凹凸部挿入部１９に挿入された状態で、凹凸部１８の凹部に係合するくの字形状をした操作棒２０と、操作棒２０を円形形状部材１２の凹凸部１８方向に押圧するゴム製の操作棒押圧体２１から構成されている。
【００２７】
操作棒２０は、くの字形状の中間部の操作部ピン２２により凹凸部挿入部１９と連結され、この操作部ピン２２を軸として回転可能になっている。また、操作棒押圧体２１は、上述したようにゴム製（弾性体製）で操作棒２０を円形形状部材１２の凹凸部１８方向に押圧するものである。具体的には、使用者が操作棒２０を凹凸部１８から離れる方向に操作することにより、操作棒２０は操作棒押圧体２１に強く接触し、さらに操作棒２０を凹凸部１８から離れる方向に操作することにより操作棒２０が凹凸部１８から離れる（図５（ｂ）参照）。また、この状態から、使用者が操作棒２０から手を離すことにより、操作棒２０は操作棒押圧体２１の弾性力により凹凸部１８方向に押され、操作棒２０は凹凸部１８の凹部に係合することとなる（図５（ａ）参照）。このように、操作棒２０が凹凸部１８から離れた状態で、円形形状部材１２の凹凸部１８を凹凸部挿入部１９から引き抜くことにより、円形形状部材１２の一方が開口可能になる。なお、本実施形態では、円形形状部材１２の一方を開口可能にしたが、これに限らず、一方を開口可能にしなくてもよい。
【００２８】
次に、本実施形態における炭酸抜け防止器具１１の動作について説明する。図６は本発明の第２の実施形態における炭酸抜け防止器具の作業手順を示す図である。
【００２９】
まず、中空形状をした円形形状部材１２の中空内部（内側）にペットボトル７（炭酸飲料容器）を挟み込む（図６（ａ）参照（ペットボトル挟込工程））。ここで、ペットボトル７の挟み方としては、たとえば、ペットボトル７の上部から円形形状部材１２の中空内部にペットボトル７を挿入してもよく、また、円形形状部材１２の両端部を広げて、その間から円形形状部材１２の中空内部にペットボトル７を挿入するようにしてもよい。本実施形態では、円形形状部材１２の中空内部にペットボトル７が挟み込まれた状態において、ペットボトル７の側面に容器接触部１３が接触しているようにしているが、ペットボトル７の側面に容器接触部１３が接触していない状態であってもよい。
【００３０】
次に、把持部１５を用いて容器接触部１３をペットボトル７の内部方向に押圧させる（ペットボトル内加圧工程）。具体的には、使用者は、ペットボトル７を円形形状部材１２の中空内部に囲い込んで、２つの把持部１５を近づかせる方向に把持することにより、容器接触部１３をペットボトル７の内部方向に押圧させる。このように、容器接触部１３をペットボトル７の内部方向に押圧させることによりペットボトル７の内部の容積が少なくなるので、ペットボトル７内の気体が加圧される。
【００３１】
次に、把持部１５を用いて容器接触部１３をペットボトル７の内部方向に押圧させると、操作棒２０が操作棒押圧体２１の弾性力により凹凸部１８方向に押され、操作棒２０は凹凸部１８の凹部に係合することとなる（図６（ｂ）参照（ペットボトル内加圧保持工程））。これにより、一方の把持部１５と他方の把持部１５の距離が縮まった状態を保持することができ、ペットボトル７の側面が容器接触部１４により強く押圧された状態を保持することができる。このように、容器接触部１３がペットボトル７を内部方向に押圧した状態を保持することにより、ペットボトル７内の気体が加圧された状態を保持することができる。
【００３２】
以上説明したように、炭酸抜け防止器具１１が、円形形状部材１２の内側に備えられた容器接触部１３と、円形形状部材１２に備えられた把持部１５と、円形形状部材１２の略両端部に備えられた押圧保持部１４から構成されるといった単純な構成であるので、炭酸抜け防止器具１１を安価に製造することができる。また、ペットボトル７を円形形状部材１２の中空内部に囲い込んで、操作部１５を用いて容器接触部１３がペットボトル７の内部方向に押圧されることによりペットボトル７内の気体が加圧されるので、手間を掛けず簡単な方法でペットボトル７内の気体を加圧させることができることができ、炭酸飲料から炭酸ガスがペットボトル７内に抜け出すことを抑制することができる。
【００３３】
以上説明したように、本実施形態における炭酸抜け防止器具１、１１によれば、安価に
製造できるとともに、ペットボトル７内の気体を加圧させるのに手間が掛からず使い勝手のいいものである。
【００３４】
今回開示された実施の形態はすべての点で例示であって制限的なものではないと考えられるべきである。さらに本発明の範囲は、上記した説明ではなく特許請求の範囲の記載によって示され、特許請求の範囲と均等の意味及び範囲内でのすべての変更が含まれることが意図される。
【符号の説明】
【００３５】
１  炭酸抜け防止器具  
２  Ｕ字形状部材
３  容器接触部
４  押圧保持部
５  把持部
６  ヒンジ
７  ペットボトル
１１  炭酸抜け防止器具
１２  円形形状部材
１３  容器接触部
１４  押圧保持部
１５  把持部
１６  連結ピン
１７  回転規制凸部
１８  凹凸部
１９  凹凸部挿入部
２０  操作棒
２１  操作棒押圧体
２２  操作部ピン
２３  ヒンジ
【図１】
2013237490.tif 000003
【図２】
2013237490.tif 000004
【図３】
2013237490.tif 000005
【図４】
2013237490.tif 000006
【図５】
2013237490.tif 000007
【図６】
2013237490.tif 000008